(57)【要約】医療情報管理サーバ装置（１）は、複数の端末装置（２）とネットワーク（３）を介して通信可能に接続され、医療に用いる検査結果情報を管理する医療情報管理サーバ装置（１）であって、製品番号受信部（１０１）、キー生成部（１０２）、記憶領域設定部（１０３）、及び、キー送信部（１０４）を備える。製品番号受信部（１０１）は、医療用製品の製造番号情報を、第１の端末装置（２１）からネットワーク（３）を介して受信する。キー生成部（１０４）は、製品番号受信部（１０１）によって上記製造番号情報が受信された場合に、上記製造番号情報に基づいて認証キー情報を生成する。憶領域設定部（１０３）は、キー生成部（１０４）によって生成された認証キー情報と対応付けて、上記検査結果情報を記憶する記憶領域を設定する。キー送信部（１０４）は、ネットワーク（３）を介して、上記認証キー情報を第１の端末装置（２１）へ送信する。
2016067862.tif 000002
【特許請求の範囲】
【請求項１】
複数の端末装置とネットワークを介して通信可能に接続され、医療に用いる検査結果情報を含む医療介護福祉サービス情報を管理する医療情報管理サーバ装置であって、
医療用製品の製造番号情報を、前記複数の端末装置に含まれる第１の端末装置から前記ネットワークを介して受信する製品番号受信部と、
前記製品番号受信部によって前記製造番号情報が受信された場合に、前記製造番号情報に基づいて認証キー情報を生成するキー生成部と、
前記キー生成部によって生成された認証キー情報と対応付けて、前記検査結果情報を記憶する記憶領域を設定する記憶領域設定部と、
前記ネットワークを介して、前記認証キー情報を前記第１の端末装置へ送信するキー送信部と
を備える、医療情報管理サーバ装置。
【請求項２】
前記医療用製品には、コードが付され、
前記コードが示す情報は、前記医療情報管理サーバ装置の電子メールアドレス情報及び前記製造番号情報を含み、
前記製品番号受信部は、前記第１の端末装置から前記製造番号情報を含む電子メールを受信することによって、前記製造番号情報を受信する、請求項１に記載の医療情報管理サーバ装置。
【請求項３】
前記コードは、前記医療用製品の包装に貼付されたバーコードである、請求項２に記載の医療情報管理サーバ装置。
【請求項４】
前記医療用製品は、検査に使用され、
１人の患者の検査に使用されると、その後、他の患者の検査に使用されることはない、請求項２又は請求項３に記載の医療情報管理サーバ装置。
【請求項５】
前記複数の端末装置に含まれる第２の端末装置から、前記認証キー情報、検査を受けた患者を識別する患者識別情報、検査を指示した医者を識別する医者識別情報、及び、前記検査結果情報を、前記ネットワークを介して受信する検査結果受信部と、
前記検査結果受信部によって、前記認証キー情報、前記患者識別情報、前記医者識別情報、及び、前記検査結果情報が受信された場合に、前記認証キー情報に対応する記憶領域に、前記認証キー情報、前記患者識別情報、及び、前記医者識別情報に対応付けて、前記検査結果情報を記憶する検査結果記録部と
を備える、請求項１から請求項４のいずれか１項に記載の医療情報管理サーバ装置。
【請求項６】
前記検査結果記録部は、前記検査結果受信部によって、前記認証キー情報、前記患者識別情報、前記医者識別情報、及び、前記検査結果情報が受信された場合に、前記認証キー情報に対応する記憶領域が設定されていないときには、前記認証キー情報が正しくない旨を示すメッセージを前記第２の端末装置に送信する、請求項５に記載の医療情報管理サーバ装置。
【請求項７】
前記複数の端末装置に含まれる第３の端末装置から、前記認証キー情報、前記患者識別情報、及び、前記検査結果情報の提供を求める旨を示す情報を、前記ネットワークを介して受信する提供要求受信部と、
前記提供要求受信部によって前記検査結果情報の提供を求める旨を示す情報が受信された場合に、受信された前記患者識別情報が、受信された前記認証キー情報に対応する前記患者識別情報と一致するか否かを判定する第１判定部と、
前記第１判定部によって一致すると判定された場合に、前記提供要求受信部によって受信された前記認証キー情報に対応する記憶領域に格納された前記検査結果情報を前記第３の端末装置へ送信する情報提供部と
を備える、請求項５又は請求項６に記載の医療情報管理サーバ装置。
【請求項８】
前記検査結果情報は、検査を行った医療機関を示す医療機関情報、前記医療機関の連絡先を示す連絡先情報、及び、検査を担当した検査者の氏名を示す検査者情報の少なくともいずれか１つの付帯情報を含む、請求項７に記載の医療情報管理サーバ装置。
【請求項９】
前記提供要求受信部は、前記認証キー情報、前記患者識別情報、及び、前記検査結果情報の提供を求める旨を示す情報に加えて、前記医者識別情報を受信可能であって、
前記第１判定部によって一致すると判定された場合に、前記認証キー情報に対応する記憶領域に格納された前記検査結果情報に対応付けられた前記医者識別情報が、前記提供要求受信部によって受信された前記医者識別情報と一致するか否かを判定する第２判定部を備え、
前記情報提供部は、
前記第２判定部によって一致すると判定された場合に、前記検査結果情報に含まれる前記付帯情報を前記第３の端末装置へ送信し、
前記提供要求受信部によって前記医者識別情報が受信されていない場合、又は、前記第２判定部によって一致しないと判定された場合に、前記検査結果情報に含まれる前記付帯情報を消去して前記第３の端末装置へ送信する、請求項８に記載の医療情報管理サーバ装置。
【請求項１０】
前記医者識別情報は、医籍登録番号情報である、請求項５から請求項９のいずれか１項に記載の医療情報管理サーバ装置。
【請求項１１】
前記患者識別情報は、医療機関を識別する識別情報と、前記医療機関において患者を識別する識別情報とを含む、請求項５から請求項１０のいずれか１項に記載の医療情報管理サーバ装置。
【請求項１２】
前記医療機関を識別する識別情報は、医療機関コードである、請求項１１に記載の医療情報管理サーバ装置。
【請求項１３】
前記認証キー情報に対応する認証キーは、英字の大文字、英字の小文字、及び、数字から構成され、且つ、予め設定された所定桁数以上である、請求項１から請求項１２のいずれか１項に記載の医療情報管理サーバ装置。
【請求項１４】
複数の端末装置とネットワークを介して通信可能に接続され、医療に用いる検査結果情報含む医療介護福祉サービス情報を管理する医療情報管理サーバ装置における医療情報管理方法であって、
医療用製品の製造番号情報を、前記複数の端末装置に含まれる第１の端末装置から前記ネットワークを介して受信する製品番号受信工程と、
前記製品番号受信工程において前記製造番号情報が受信された場合に、前記製造番号情報に基づいて認証キー情報を生成するキー生成工程と、
前記キー生成工程において生成された認証キー情報と対応付けて、前記検査結果情報を記憶する記憶領域を設定する記憶領域設定工程と、
前記ネットワークを介して、前記認証キー情報を前記第１の端末装置へ送信するキー送信工程と
を含む、医療情報管理方法。
【発明の詳細な説明】
【技術分野】
【０００１】
本発明は、医療に用いる検査結果情報を含む医療介護福祉サービス情報を管理する医療情報管理サーバ装置、及び、医療情報管理方法に関する。
【背景技術】
【０００２】
従来、医療情報管理サーバ装置が知られている。この医療情報管理サーバ装置は、複数の端末装置とネットワークを介して通信可能に接続され、医療に用いる検査結果情報を管理する。【０００３】
このような医療情報管理サーバ装置として、複数の医療従事者が連携して検査及び診断を行うサーバ装置が開示されている（特許文献１参照）。特許文献１に記載のサーバ装置は、患者の基本データ、脳ＭＲＩ画像データ及び心電図データを、担当医の端末装置から受信する。そして、上記サーバ装置は、脳ＭＲＩ画像データを受信すると、放射線科医の端末装置に画像診断指示データを送信し、その応答として、上記放射線科医の端末装置から画像診断結果データを受信する。また、上記サーバ装置は、血液検査結果データを、血液検査センターの端末装置から受信する。上記サーバ装置は、上記基本データ、上記脳ＭＲＩ画像データ、上記心電図データ、上記血液検査結果データ及び上記画像診断結果データの全てを受信すると、総合診断指示データを生成し、神経内科医の端末装置に送信する。【０００４】
特許文献１には、このサーバ装置によれば、複数の医療従事者が連携する際に、データの受け渡しがサーバ装置を介して一元的に行われるため、受診者の取り違いといったミスの発生を低減することができると記載されている。
【先行技術文献】
【特許文献】
【０００５】
【特許文献１】特開２０１１−１６４９５６号公報
【発明の概要】
【発明が解決しようとする課題】
【０００６】
しかしながら、特許文献１に記載のサーバ装置では、例えば、上記神経内科医の端末装置の表示部に表示される「総合診断開始」ボタンをクリックすることによって、上記サーバ装置から、心電図データ、画像診断結果データ等を取得することができるため、医療に用いる各種の検査結果情報が漏洩する恐れがある。【０００７】
本発明は、上記課題に鑑みてなされたものであり、検査結果情報を含む医療介護福祉サービス情報の漏洩を防止することの可能な医療情報管理サーバ装置、及び、医療情報管理方法を提供することを目的としている。
【課題を解決するための手段】
【０００８】
本発明の第１の医療情報管理サーバ装置は、複数の端末装置とネットワークを介して通信可能に接続され、医療に用いる検査結果情報を含む医療介護福祉サービス情報管理する医療情報管理サーバ装置であって、製品番号受信部、キー生成部、記憶領域設定部、及び、キー送信部を備える。前記製品番号受信部は、医療用製品の製造番号情報を、前記複数の端末装置に含まれる第１の端末装置から前記ネットワークを介して受信する。前記キー生成部は、前記製品番号受信部によって前記製造番号情報が受信された場合に、前記製造番号情報に基づいて認証キー情報を生成する。前記記憶領域設定部は、前記キー生成部によって生成された認証キー情報と対応付けて、前記検査結果情報を記憶する記憶領域を設定する。前記キー送信部は、前記ネットワークを介して、前記認証キー情報を前記第１の端末装置へ送信する。【０００９】
本発明の第２の医療情報管理サーバ装置は、前記第１の医療情報管理サーバ装置であって、前記医療用製品には、コードが付され、前記コードが示す情報が、前記医療情報管理サーバ装置の電子メールアドレス情報及び前記製造番号情報を含む。また、前記製品番号受信部が、前記第１の端末装置から前記製造番号情報を含む電子メールを受信することによって、前記製造番号情報を受信する。【００１０】
本発明の第３の医療情報管理サーバ装置は、前記第２の医療情報管理サーバ装置であって、前記コードは、前記医療用製品の包装に貼付されたバーコードである。【００１１】
本発明の第４の医療情報管理サーバ装置は、前記第２の医療情報管理サーバ装置又は前記第３の医療情報管理サーバ装置であって、前記医療用製品は、検査に使用され、１人の患者の検査に使用されると、その後、他の患者の検査に使用されることはない。【００１２】
本発明の第５の医療情報管理サーバ装置は、前記第１の医療情報管理サーバ装置から前記第４の医療情報管理サーバ装置のいずれか１つの医療情報管理サーバ装置であって、検査結果受信部、及び、検査結果記録部を備える。前記検査結果受信部は、前記複数の端末装置に含まれる第２の端末装置から、前記認証キー情報、検査を受けた患者を識別する患者識別情報、検査を指示した医者を識別する医者識別情報、及び、前記検査結果情報を、前記ネットワークを介して受信する。前記検査結果記録部は、前記検査結果受信部によって、前記認証キー情報、前記患者識別情報、前記医者識別情報、及び、前記検査結果情報が受信された場合に、前記認証キー情報に対応する記憶領域に、前記認証キー情報、前記患者識別情報、及び、前記医者識別情報に対応付けて、前記検査結果情報を記憶する。【００１３】
本発明の第６の医療情報管理サーバ装置は、前記第５の医療情報管理サーバ装置であって、前記検査結果記録部は、前記検査結果受信部によって前記認証キー情報、前記患者識別情報、前記医者識別情報、及び、前記検査結果情報が受信された場合に、以下の処理を行う。すなわち、前記検査結果記録部は、前記認証キー情報に対応する記憶領域が設定されていないときには、前記認証キー情報が正しくない旨を示すメッセージを前記第２の端末装置に送信する。【００１４】
本発明の第７の医療情報管理サーバ装置は、前記第５の医療情報管理サーバ装置又は前記第６の医療情報管理サーバ装置であって、提供要求受信部、第１判定部、及び、情報提供部を備える。前記提供要求受信部は、前記複数の端末装置に含まれる第３の端末装置から、前記認証キー情報、前記患者識別情報、及び、前記検査結果情報の提供を求める旨を示す情報を、前記ネットワークを介して受信する。前記第１判定部は、前記提供要求受信部によって前記検査結果情報の提供を求める旨を示す情報が受信された場合に、受信された前記患者識別情報が、受信された前記認証キー情報に対応する前記患者識別情報と一致するか否かを判定する。前記情報提供部は、前記第１判定部によって一致すると判定された場合に、前記提供要求受信部によって受信された前記認証キー情報に対応する記憶領域に格納された前記検査結果情報を前記第３の端末装置へ送信する。【００１５】
本発明の第８の医療情報管理サーバ装置は、前記第７の医療情報管理サーバ装置であって、前記検査結果情報は、検査を行った医療機関を示す医療機関情報、前記医療機関の連絡先を示す連絡先情報、及び、検査を担当した検査者の氏名を示す検査者情報の少なくともいずれか１つの付帯情報を含む。【００１６】
本発明の第９の医療情報管理サーバ装置は、前記第８の医療情報管理サーバ装置であって、前記提供要求受信部が、前記認証キー情報、前記患者識別情報、及び、前記検査結果情報の提供を求める旨を示す情報に加えて、前記医者識別情報を受信可能であり、第２判定部を備える。前記第２判定部は、前記第１判定部によって一致すると判定された場合に、前記認証キー情報に対応する記憶領域に格納された前記検査結果情報に対応付けられた前記医者識別情報が、前記提供要求受信部によって受信された前記医者識別情報と一致するか否かを判定する。前記情報提供部は、前記第２判定部によって一致すると判定された場合に、前記検査結果情報に含まれる前記付帯情報を前記第３の端末装置へ送信する。また、前記情報提供部は、前記提供要求受信部によって前記医者識別情報が受信されていない場合、又は、前記第２判定部によって一致しないと判定された場合に、前記検査結果情報に含まれる前記付帯情報を消去して前記第３の端末装置へ送信する。【００１７】
本発明の第１０の医療情報管理サーバ装置は、前記第５の医療情報管理サーバ装置から前記第９の医療情報管理サーバ装置のいずれか１つの医療情報管理サーバ装置であって、前記医者識別情報が、医籍登録番号情報である。【００１８】
本発明の第１１の医療情報管理サーバ装置は、前記第５の医療情報管理サーバ装置から前記第１０の医療情報管理サーバ装置のいずれか１つの医療情報管理サーバ装置であって、前記患者識別情報は、医療機関を識別する識別情報と、前記医療機関において患者を識別する識別情報とを含む。【００１９】
本発明の第１２の医療情報管理サーバ装置は、前記第１１の医療情報管理サーバ装置であって、前記医療機関を識別する識別情報は、医療機関コードである。【００２０】
本発明の第１３の医療情報管理サーバ装置は、前記第１の医療情報管理サーバ装置から前記第１２の医療情報管理サーバ装置のいずれか１つの医療情報管理サーバ装置であって、前記認証キー情報に対応する認証キーは、英字の大文字、英字の小文字、及び、数字から構成され、且つ、２０桁以上である。【００２１】
本発明の医療情報管理方法は、複数の端末装置とネットワークを介して通信可能に接続され、医療に用いる検査結果情報を含む医療介護福祉サービス情報を管理する医療情報管理サーバ装置における医療情報管理方法であって、製品番号受信工程、キー生成工程、記憶領域設定工程、及び、キー送信工程を含む。前記製品番号受信工程において、医療用製品の製造番号情報を、前記複数の端末装置に含まれる第１の端末装置から前記ネットワークを介して受信する。前記製品番号受信工程において前記製造番号情報が受信された場合に、前記キー生成工程において、前記製造番号情報に基づいて認証キー情報を生成する。前記記憶領域設定工程において、前記キー生成工程において生成された認証キー情報と対応付けて、前記検査結果情報を記憶する記憶領域を設定する。前記キー送信工程において、前記ネットワークを介して、前記認証キー情報を前記第１の端末装置へ送信する。
【発明の効果】
【００２２】
本発明の医療情報管理サーバ装置及び医療情報管理方法によれば、検査結果情報を含む医療介護福祉サービス情報の漏洩を防止することができる。
【図面の簡単な説明】
【００２３】
【図１】本発明の実施形態に係る医療情報管理システムの構成を示す図である。
【図２】図１に示す医療情報管理サーバ装置の機能的な構成を示すブロック図である。
【図３】図２に示す医療情報管理サーバ装置の製品番号受信部が受信する製造番号情報が付与された製品を示す図である。
【図４】図２に示す医療情報管理サーバ装置の検査結果受信部が受信する検査結果情報の構成を示す図表である。
【図５】図２に示す医療情報管理サーバ装置による記憶領域設定処理を示すフローチャートである。
【図６】図２に示す医療情報管理サーバ装置による検査結果記録処理を示すフローチャートである。
【図７】図２に示す医療情報管理サーバ装置による検査情報提供処理を示すフローチャートである。
【発明を実施するための形態】
【００２４】
以下、本発明の実施形態について、図面（図１〜図７）を参照しながら説明する。なお、図中、同一又は相当部分については同一の参照符号を付して説明を繰り返さない。
【００２５】
まず、図１を参照して、本実施形態に係る医療情報管理システム１００について説明する。図１は、本実施形態に係る医療情報管理システム１００の構成を示す図である。医療情報管理システム１００は、医療情報管理サーバ装置１、及び、複数台の端末装置２を備えている。
【００２６】
医療情報管理サーバ装置１は、複数台の端末装置２と、インターネット等のネットワーク３を介して通信可能に接続され、医療に用いる検査結果情報を含む医療介護福祉サービス情報を管理するサーバ装置である。医療情報管理サーバ装置１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び、ＨＤＤ（Ｈａｒｄ  Ｄｉｓｋ  Ｄｒｉｖｅ）を備える。本発明に係る「医療介護福祉サービス情報」とは、医療サービス情報、介護サービス情報、及び、福祉サービス情報である。具体的には、「医療介護福祉サービス情報」は、医療、看護及び介護に関連する業務に従事する医師、看護師、薬剤師、検査技師、及び、介護福祉士等によって患者に提供されるサービスの内容、結果等を示す情報である。更に具体的には、「医療介護福祉サービス情報」は、例えば、医師による診断結果情報、看護師による体温、血圧等の患者の容態情報、検査技師による検査結果情報、介護福祉士による介護実施内容情報等を含む。本実施形態では、「医療介護福祉サービス情報」が検査結果情報である場合について説明する。
【００２７】
端末装置２１、２２、２３は、例えば、バーコードリーダを備えるパーソナルコンピュータであって、バーコードリーダを介して、医療用製品の製造番号情報を読み取り、読み取った製造番号情報を、医療情報管理サーバ装置１に対して送信する。また、端末装置２は、医療に用いる検査結果情報を医療情報管理サーバ装置１の上記ＨＤＤに格納するために、医療情報管理サーバ装置１に対して送信する。更に、端末装置２は、医療情報管理サーバ装置１に対して、前記検査結果情報の提供を求める旨を示す情報を送信する。
【００２８】
なお、端末装置２１、２２、２３は、略同一の構成を有するため、端末装置２と総称する場合がある。また、端末装置２１は、「第１の端末装置」に相当し、端末装置２２は、「第２の端末装置」に相当し、端末装置２３は、「第３の端末装置」に相当する。
【００２９】
本実施形態では、医療情報管理サーバ装置１と端末装置２との間の各種情報の送受信は、電子メールを介して行う。したがって、簡素な構成で、医療情報管理サーバ装置１と端末装置２との間の各種情報の送受信を行うことができる。例えば、医療情報管理サーバ装置１の電子メールアドレス情報は、医療用製品に貼付されたバーコード４３が示すバーコード情報に含まれている。端末装置２は、図略のバーコードリーダを介して、上記バーコード情報に含まれる医療情報管理サーバ装置１の電子メールアドレス情報を取得する。
【００３０】
本実施形態では、医療情報管理サーバ装置１と端末装置２との間の各種情報の送受信は、電子メールを介して行う場合について説明するが、医療情報管理サーバ装置１と端末装置２との間の各種情報の送受信を他の方法で行う形態でもよい。例えば、端末装置２が、医療情報管理サーバ装置１のホームページを介して、各種情報を送受信する形態でもよい。この場合には、医療情報管理サーバ装置１のホームページアドレスが、医療用製品に貼付されたバーコード情報に含まれていることが好ましい。
【００３１】
また、本実施形態では、端末装置２がパーソナルコンピュータである場合について説明しているが、端末装置２がタブレット、スマートフォン等である形態でもよい。
【００３２】
次に、図２を参照して、医療情報管理サーバ装置１の機能的な構成について説明する。図２は、図１に示す医療情報管理サーバ装置１の機能的な構成を示すブロック図である。図２に示すように、医療情報管理サーバ装置１は、製品番号受信部１０１、キー生成部１０２、記憶領域設定部１０３、キー送信部１０４、検査結果受信部１０５、検査結果記録部１０６、提供要求受信部１０７、第１判定部１０８、第２判定部１０９、情報提供部１１０、及び、検査結果記憶部１２を備えている。
【００３３】
なお、医療情報管理サーバ装置１の上記ＣＰＵが上記ＲＯＭ（又は、上記ＨＤＤ）に格納された制御プログラムを読み出して実行することによって、製品番号受信部１０１、キー生成部１０２、記憶領域設定部１０３、キー送信部１０４、検査結果受信部１０５、検査結果記録部１０６、提供要求受信部１０７、第１判定部１０８、第２判定部１０９、及び、情報提供部１１０として機能する。また、医療情報管理サーバ装置１の上記ＣＰＵが上記ＲＯＭ（又は、上記ＨＤＤ）に格納された制御プログラムを読みだして実行することによって、上記ＨＤＤを、検査結果記憶部１２として機能させる。
【００３４】
検査結果記憶部１２には、記憶領域設定部１０３によって、キー生成部１０２により生成された認証キー情報と対応付けて、医療に用いる検査結果情報を記憶する記憶領域が設定される。また、検査結果記憶部１２は、端末装置２（例えば、端末装置２２）から検査結果受信部１０５が受信した検査結果情報等を、検査結果受信部１０５が受信した認証キー情報に対応する記憶領域に格納する。更に、検査結果記憶部１２において、提供要求受信部１０７が受信した認証キー情報に対応する記憶領域に格納された検査結果情報が、情報提供部１１０によって読み出される。
【００３５】
第１の端末装置２１は、図略のバーコードリーダを介して、上記バーコード情報に含まれる医療情報管理サーバ装置１の電子メールアドレス情報、及び、医療用製品の製造番号情報を取得する。また、第１の端末装置２１は、医療情報管理サーバ装置１の電子メールアドレスを宛先として、上記製造番号情報を送信する。
【００３６】
また、第１の端末装置２１は、例えば、医療用製品を用いて医療行為を行う医者によって操作される端末装置である。
【００３７】
製品番号受信部１０１は、医療用製品の製造番号情報を、複数の端末装置２に含まれる第１の端末装置２１からネットワーク３を介して受信する。具体的には、製品番号受信部１０１は、第１の端末装置２１から上記製造番号情報を含む電子メールを受信することによって、上記製造番号情報を受信する。
【００３８】
キー生成部１０２は、製品番号受信部１０１によって上記製造番号情報が受信された場合に、上記製造番号情報に基づいて認証キー情報を生成する。認証キー情報は、記憶領域設定部１０３によって設定される記憶領域にアクセスする権限を有するか否かを確認するキー情報である。また、上記記憶領域は、検査結果記憶部１２における記憶領域である。
【００３９】
記憶領域設定部１０３は、キー生成部１０２によって生成された上記認証キー情報と対応付けて、上記検査結果情報を記憶する記憶領域を、検査結果記憶部１２に設定する。
【００４０】
キー送信部１０４は、ネットワーク３を介して、キー生成部１０２によって生成された上記認証キー情報を第１の端末装置２１へ送信する。具体的には、キー送信部１０４は、第１の端末装置２１に対して、上記認証キー情報を含む電子メールを送信することによって、上記認証キー情報を送信する。例えば、キー送信部１０４は、製品番号受信部１０１によって受信される上記製造番号情報を含む電子メールに対する返信メールとして、第１の端末装置２１に対して、上記認証キー情報を含む電子メールを送信する。つまり、製品番号受信部１０１によって上記製造番号情報を含む電子メールが第１の端末装置２１から受信されることによって、医療情報管理サーバ装置１は、第１の端末装置２１のメールアドレス情報を取得する。
【００４１】
上述のように、製品番号受信部１０１によって上記製造番号情報が受信された場合に、キー生成部１０２によって生成された上記認証キー情報が第１の端末装置２１へ送信されるため、上記認証キー情報によって、上記検査結果情報の漏洩を防止することができる。
【００４２】
また、上記認証キー情報は、電子メールによって第１の端末装置２１へ送信されるため、上記認証キーの桁数、英字、数字の別、等の制限を緩和することができる。例えば、上記認証キーの桁数を、予め設定された所定桁数（例えば、２０桁）以上とすることも可能であるし、上記認証キーを英字の大文字、英字の小文字、及び、数字から構成される形態とすることも可能である。したがって、上記認証キーが表示された画面を覗き見されたとしても、上記認証キーを記憶することは極めて困難であるため、上記認証キーが漏洩することを抑制できる。
【００４３】
本実施形態では、上記認証キーの桁数が、予め設定された所定桁数（例えば、２０桁）以上、且つ、上記認証キーが英字の大文字、英字の小文字、及び、数字から構成される形態について説明する。この場合には、認証キーが漏洩することを抑制できる。
【００４４】
本実施形態では、上記認証キーの桁数が、予め設定された所定桁数（例えば、２０桁）以上、且つ、上記認証キーが英字の大文字、英字の小文字、及び、数字から構成される形態について説明するが、これに限定されない。上記認証キーの桁数が、予め設定された所定桁数（例えば、２０桁）以上、又は、上記認証キーが英字の大文字、英字の小文字、及び、数字から構成される形態でもよい。上記認証キーの桁数が大きい程、認証キーが漏洩し難い。上記認証キーを構成する文字の種類が多い程、認証キーが漏洩し難い。
【００４５】
更に、第１の端末装置２１は、医療情報管理サーバ装置１からの電子メールを受信することによって、上記認証キー情報を受信するため、第１の端末装置２１のユーザは、簡素な構成で確実に上記認証キー情報を取得することができる。
【００４６】
第２の端末装置２２は、上記検査結果情報を、ネットワーク３を介して医療情報管理サーバ装置１へ電子メールを用いて送信する。なお、第２の端末装置２２は、第１の端末装置２１から、医療情報管理サーバ装置１の電子メールアドレス情報、及び、上記認証キー情報を取得する。例えば、第１の端末装置２１が、医療情報管理サーバ装置１からの上記認証キー情報を含む電子メールを第２の端末装置２２へ転送することによって、第２の端末装置２２は、医療情報管理サーバ装置１の電子メールアドレス情報、及び、上記認証キー情報を取得する。
【００４７】
また、第２の端末装置２２は、例えば、上記検査結果情報に対応する検査を指示した医者によって操作される端末装置である。更に、上記検査結果情報は、付帯情報として、検査を行った医療機関を示す医療機関情報、上記医療機関の連絡先を示す連絡先情報、及び、検査を担当した検査者の氏名を示す検査者情報を含む。
【００４８】
本実施形態では、上記検査結果情報の上記付帯情報が、上記医療機関情報、上記連絡先情報、及び、上記検査者情報を含む場合について説明するが、上記検査結果情報の上記付帯情報が、上記医療機関情報、上記連絡先情報、及び、上記検査者情報の少なくともいずれか１つを含む形態であればよい。
【００４９】
検査結果受信部１０５は、複数の端末装置２に含まれる第２の端末装置２２から、上記認証キー情報、検査を受けた患者を識別する患者識別情報、検査を指示した医者を識別する医者識別情報、及び、上記検査結果情報を、ネットワーク３を介して受信する。具体的には、検査結果受信部１０５は、第２の端末装置２２から、上記認証キー情報、上記患者識別情報、上記医者識別情報、及び、上記検査結果情報を含む電子メールを受信する。
【００５０】
上記患者識別情報は、本実施形態では、例えば、病院等の医療機関を識別する識別情報と、医療機関において患者を識別する識別情報とを組み合わせた識別情報である。また、上記医者識別情報は、本実施形態では、例えば、医籍登録番号情報である。なお、上記医籍登録番号は、厚生労働省に医師として登録された順番に割り当てられる番号であって、医師免許証に記載される番号である。また、医療機関を識別する識別情報は、例えば、「医療機関コード」である。
【００５１】
このように、上記医者識別情報が上記医者識別情報であるため、適切な上記医者識別情報を容易に設定することができる。また、上記患者識別情報が、医療機関を識別する識別情報と、医療機関において患者を識別する識別情報とを含むため、適切な上記患者識別情報を容易に設定することができる。
【００５２】
検査結果記録部１０６は、検査結果受信部１０５によって、上記認証キー情報、上記患者識別情報、上記医者識別情報、及び、上記検査結果情報が受信された場合に、検査結果記憶部１２における上記認証キー情報に対応する記憶領域に、上記患者識別情報、及び、上記医者識別情報に対応付けて、上記検査結果情報を格納する。ただし、検査結果受信部１０５によって受信された上記認証キー情報に対応する記憶領域が検査結果記憶部１２に形成されていない場合には、検査結果記録部１０６は、検査結果受信部１０５によって受信された上記認証キー情報が正しくない旨を示すメッセージを第２の端末装置２２に送信する。
【００５３】
上述のように、検査結果受信部１０５によって、上記認証キー情報、上記患者識別情報、上記医者識別情報、及び、上記検査結果情報が受信された場合に、検査結果記録部１０６によって、検査結果記憶部１２における上記認証キー情報に対応する記憶領域に、上記患者識別情報、及び、上記医者識別情報に対応付けて、上記検査結果情報が格納される。一方、上記認証キー情報は、医療用製品の上記製造番号情報に基づいて生成される。したがって、上記製造番号情報に対応する医療用製品を用いて検査を受ける患者の上記検査結果情報を検査結果記憶部１２に格納することができる。
【００５４】
換言すれば、医療用製品を購入して、購入した医療用製品を検査で使用することによって、検査を受ける患者の上記検査結果情報を検査結果記憶部１２に格納することができるため、医療関係者、及び、患者の利便性を向上することができる。
【００５５】
また、検査結果受信部１０５によって受信された上記認証キー情報に対応する記憶領域が検査結果記憶部１２に形成されていない場合には、検査結果記録部１０６は、検査結果受信部１０５によって受信された上記認証キー情報が正しくない旨を示すメッセージを第２の端末装置２２に送信する。よって、第２の端末装置２２のユーザは、上記認証キー情報が正しくないことを確認できる。したがって、ユーザの利便性を向上することができる。
【００５６】
第３の端末装置２３は、上記認証キー情報、上記患者識別情報、及び、上記検査結果情報の提供を求める旨を示す情報を、ネットワーク３を介して医療情報管理サーバ装置１へ送信する。具体的には、第３の端末装置２３は、上記認証キー情報、上記患者識別情報、及び、上記検査結果情報の提供を求める旨を示す情報を含む電子メールを、医療情報管理サーバ装置１へ送信する。例えば、第１の端末装置２１が、医療情報管理サーバ装置１からの上記認証キー情報を含む電子メールを第３の端末装置２３へ転送することによって、第３の端末装置２３は、医療情報管理サーバ装置１の電子メールアドレス情報、及び、上記認証キー情報を取得する。
【００５７】
また、第３の端末装置２３は、例えば、上記検査結果情報の提供を求める者によって操作される端末装置である。上記検査結果情報の提供を求める者とは、例えば、上記患者識別情報に対応する患者自身、上記検査結果情報に対応する検査を指示した医者、又は、上記検査結果情報に対応する検査を指示した医者とは異なる医者である。
【００５８】
なお、上記検査結果情報に対応する検査を指示した医者以外の者（例えば、上記患者識別情報に対応する患者自身、又は、上記検査結果情報に対応する検査を指示した医者とは異なる医者）は、上記認証キー情報を取得する必要がある。上記患者識別情報に対応する患者自身は、上記検査結果情報に対応する検査を指示した医者から、検査終了時、検査結果説明時、又は、診察時等において、上記認証キー情報の提供を受ける。上記検査結果情報に対応する検査を指示した医者とは異なる医者は、例えば、上記患者識別情報に対応する患者自身、又は、上記検査結果情報に対応する検査を指示した医者から上記認証キー情報の提供を受ける。
【００５９】
提供要求受信部１０７は、第３の端末装置２３から、上記認証キー情報、上記患者識別情報、及び、上記検査結果情報の提供を求める旨を示す情報を、ネットワーク３を介して受信する。また、提供要求受信部１０７は、第３の端末装置２３から、上記認証キー情報、上記患者識別情報、及び、上記検査結果情報の提供を求める旨を示す情報に加えて、上記医者識別情報を受信することができる。具体的には、提供要求受信部１０７は、第３の端末装置２３から、上記認証キー情報、上記患者識別情報、上記医者識別情報、及び、上記検査結果情報の提供を求める旨を示す情報を含む電子メールを受信する。
【００６０】
第１判定部１０８は、提供要求受信部１０７によって上記検査結果情報の提供を求める旨を示す情報が受信された場合に、受信された上記患者識別情報が、受信された上記認証キー情報に対応する上記患者識別情報と一致するか否かを判定する。上記認証キー情報に対応する上記患者識別情報とは、具体的には、上記認証キー情報に対応する記憶領域に記憶されている上記検査結果情報に対応する上記患者識別情報である。また、上記検査結果情報に対応する上記患者識別情報とは、上記検査結果情報が示す検査における被検査者である患者に対応する上記患者識別情報である。なお、上記記憶領域は、検査結果記憶部１２における記憶領域である。
【００６１】
第２判定部１０９は、第１判定部１０８によって一致すると判定された場合に、上記検査結果情報に対応付けられた上記医者識別情報が、提供要求受信部１０７によって受信された上記医者識別情報と一致するか否かを判定する。なお、上記検査結果情報は、上記認証キー情報に対応する記憶領域に格納された検査結果情報である。
【００６２】
情報提供部１１０は、第１判定部１０８によって一致すると判定された場合に、上記検査結果情報を第３の端末装置２３へ送信する。なお、上記検査結果情報は、提供要求受信部１０７によって受信された上記認証キー情報に対応する記憶領域に格納された検査結果情報である。また、情報提供部１１０は、第２判定部１０９によって一致すると判定された場合に、上記付帯情報を含んだ上記検査結果情報を第３の端末装置２３へ送信する。一方、提供要求受信部１０７によって上記医者識別情報が受信されていない場合、又は、第２判定部１０９によって一致しないと判定された場合に、上記検査結果情報に含まれる上記付帯情報を消去して第３の端末装置２３へ送信する。
【００６３】
具体的には、例えば、情報提供部１１０は、第１判定部１０８によって一致すると判定された場合に、上記検査結果情報を含む電子メールを第３の端末装置２３へ送信する。なお、上記検査結果情報は、提供要求受信部１０７によって受信された上記認証キー情報に対応する記憶領域に格納された検査結果情報である。また、情報提供部１１０は、第２判定部１０９によって一致すると判定された場合に、上記付帯情報を有する上記検査結果情報を含む電子メールを第３の端末装置２３へ送信する。一方、提供要求受信部１０７によって上記医者識別情報が受信されていない場合、又は、第２判定部１０９によって一致しないと判定された場合に、上記付帯情報を消去した上記検査結果情報を含む電子メールを第３の端末装置２３へ送信する。
【００６４】
上述のように、第１判定部１０８によって一致すると判定された場合に、提供要求受信部１０７によって受信された上記認証キー情報に対応する記憶領域に格納された上記検査結果情報が第３の端末装置２３へ送信されるため、上記検査結果情報の漏洩を防止することができる。なお、上記検査結果情報は、上記提供要求受信部１０７によって受信された上記認証キー情報に対応する記憶領域に格納された検査結果情報である。換言すれば、上記検査結果情報を取得するためには、上記検査結果情報に対応する上記認証キー情報、及び、上記患者識別情報が必須の情報となるため、上記検査結果情報の漏洩を防止することができる。
【００６５】
次に、図３を参照して、医療情報管理サーバ装置１の電子メールアドレス情報及び上記製造番号情報について説明する。図３は、製品４を示す図である。製品４には、図２に示す医療情報管理サーバ装置１の製品番号受信部１０１が受信する製造番号情報が付与されている。製品４は、「医療用製品」の一例に相当する。
【００６６】
製品４は、製品本体（ガイドチューブ）４１及び包装体４２を備えている。ガイドチューブ４１は、シリコーン、ポリエチレン、塩化ビニール等からなり、鼻孔に挿通して、経鼻内視鏡を咽頭（又は、喉頭）まで誘導するチューブである。
【００６７】
包装体４２は、ポリエチレン、プリプロピレン、塩化ビニール等からなり、ガイドチューブ４１を包装する。また、包装体４２の上部には、バーコード４３が貼付されている。バーコード４３が示すバーコード情報は、ガイドチューブ４１の製造番号情報、及び、医療情報管理サーバ装置１の電子メールアドレス情報を含む。
【００６８】
第１の端末装置２１は、図略のバーコードリーダを介して、バーコード４３が示すバーコード情報に含まれる医療情報管理サーバ装置１の電子メールアドレス情報、及び、ガイドチューブ４１の製造番号情報を取得する。そして、第１の端末装置２１は、バーコード４３が示すバーコード情報に含まれるガイドチューブ４１の製造番号情報を含む電子メールを、ネットワーク３を介して、医療情報管理サーバ装置１へ（バーコード４３が示すバーコード情報に含まれる電子メールアドレスへ）送信する。
【００６９】
本実施形態では、製品本体４１の包装体４２にバーコード４３が貼付されている形態について説明するが、これに限定されない。製品本体４１にコードが付されている形態であればよい。例えば、包装体４２の内部に、２次元バーコード（又はバーコード）が印刷された紙片が封入されている形態でもよい。２次元バーコードは、例えば、ＱＲコード（登録商標）である。また、２次元バーコードが印刷された紙片は、外部から２次元バーコードが読み取れないように、折り畳まれていることが好ましい。この場合には、開封された後に限って、ユーザは、２次元バーコードを読み取ることができるため、２次元バーコードに含まれる情報（製造番号情報及び電子メールアドレス情報）の漏洩を防止することができる。
【００７０】
また、製品４は、内視鏡検査に使用される。更に、製品４は、１人の患者の内視鏡検査に使用されると、その後、他の患者の内視鏡検査に使用されることはない。換言すれば、製品４は、内視鏡検査が終わると、使い捨てされる。このような場合には、製品本体４１の包装体４２に貼付されたバーコード４３に含まれる情報（製造番号情報及び電子メールアドレス情報）は、製品本体４１が使用される内視鏡検査を受けた１人の患者に対応付けられる。換言すれば、バーコード４３に含まれる製造番号情報は、１つの患者識別情報に対応付けられる。よって、図２を参照して説明した検査結果記録部１０６が、内視鏡検査の検査結果を、バーコード４３に含まれる製造番号情報に、認証キー情報を介して対応付けて設定される記憶領域に記録することができる。したがって、バーコード４３に含まれる製造番号情報を、患者の検査結果を格納する領域を生成するために用いることができる。なお、上記患者の検査には、バーコード４３に対応する製品本体４１が使用される。
【００７１】
本実施形態では、検査が終わると製品４が使い捨てされる形態について説明するが、これに限定されない。検査が終わると、検査を受けた患者に限って製品４を繰り返し使用する形態でもよい。
【００７２】
次に、図４を参照して、検査結果情報５について説明する。図４は、検査結果情報５の構成を示す図である。検査結果情報５は、図２に示す医療情報管理サーバ装置１の検査結果受信部１０５が受信する。また、図４は、検査結果情報５としての血液検査結果情報の一例を示す図表であって、検査結果情報５は、必須情報５１、検査詳細情報５２を含む、検査詳細情報５２は、付帯情報５２０、及び、検査項目情報５３を含む。
【００７３】
必須情報５１は、検査結果情報５に必ず含まれる情報であって、医者識別情報５１１、及び、患者識別情報５１２を含む。付帯情報５２０は、医療機関名情報５２１、連絡先情報５２２、及び、検査者情報５２３を含む。検査項目情報５３は、検査項目毎の検査結果情報である。
【００７４】
上述のように、検査結果情報５が、医療機関名情報５２１、連絡先情報５２２、及び、検査者情報５２３等の付帯情報５２０を含む。よって、医者が、必要に応じて、検査項目情報５３の内容について、検査者等に問い合わせることができるため、医者にとっての利便性を向上することができる。
【００７５】
図４に示す検査結果情報５が、検査結果記憶部１２に格納されている場合には、第１判定部１０８、及び、第２判定部１０９は、以下に述べる判定を行う。まず、第１判定部１０８は、提供要求受信部１０７によって上記検査結果情報の提供を求める旨を示す情報が受信された場合に、提供要求受信部１０７によって受信された上記患者識別情報が、上記検査結果情報に対応付けられた患者識別情報５１２と一致するか否かを判定する。なお、上記検査結果情報は、受信された上記認証キー情報に対応する記憶領域に格納された検査結果情報である。また、第２判定部１０９は、第１判定部１０８によって一致すると判定された場合に、提供要求受信部１０７によって受信された上記医者識別情報が、上記検査結果情報に対応付けられた医者識別情報５１１と一致するか否かを判定する。なお、上記検査結果情報は、上記認証キー情報に対応する記憶領域に格納された検査結果情報である。
【００７６】
次に、図５〜図７を参照して、医療情報管理サーバ装置１の動作を説明する。図５は、図２に示す医療情報管理サーバ装置１による記憶領域設定処理を示すフローチャートである。図６は、図２に示す医療情報管理サーバ装置１による検査結果記録処理を示すフローチャートである。
【００７７】
まず、図５を参照して、「記憶領域設定処理」について説明する。「記憶領域設定処理」とは、第１の端末装置２１から上記製造番号情報を受け付けて、認証キーを生成し、生成された認証キーに対応付けて記憶領域を検査結果記憶部１２に設定する処理である。
【００７８】
まず、製品番号受信部１０１によって、第１の端末装置２１から上記製造番号情報が受信されたか否かの判定が行われる（ステップＳ１０１）。上記製造番号情報が受信されていないと判定された場合（ステップＳ１０１でＮＯ）には、処理が待機状態とされる。上記製造番号情報が受信されたと判定された場合（ステップＳ１０１でＹＥＳ）には、キー生成部１０２によって、ステップＳ１０１で受信された上記製造番号情報が、予め登録された製造番号情報のいずれかと一致するか否か（登録されているか否か）の判定が行われる（ステップＳ１０３）。
【００７９】
ステップＳ１０１で受信された上記製造番号情報が登録されていないと判定された場合（ステップＳ１０３でＮＯ）には、キー生成部１０２によって、第１の端末装置２１に対して、ステップＳ１０１で受信された上記製造番号情報が正しくない旨を示す情報が送信され（ステップＳ１０５）、処理が終了される。キー生成部１０２によって登録されていると判定された場合（ステップＳ１０３でＹＥＳ）には、キー生成部１０２によって、ステップＳ１０１で受信された上記製造番号情報に対応する認証キーが未だ生成されていないか否かの判定が行われる（ステップＳ１０７）。
【００８０】
ステップＳ１０１で受信された上記製造番号情報に対応する認証キーが既に生成されていると判定された場合（ステップＳ１０７でＮＯ）には、ステップＳ１０１で受信された上記製造番号情報が既に使用済である旨を示す情報が送信され（ステップＳ１０９）、処理が終了される。なお、「上記製造番号情報が既に使用済である」とは、上記製造番号情報に対応する認証キーが生成済であり、記憶領域が生成済であることを意味している。
【００８１】
ステップＳ１０１で受信された上記製造番号情報に対応する認証キーが未だ生成されていないと判定された場合（ステップＳ１０７でＹＥＳ）には、キー生成部１０２によって、ステップＳ１０１で受信された上記製造番号情報に対応する認証キーが生成される（ステップＳ１１１）。そして、記憶領域設定部１０３によって、ステップＳ１１１で生成された認証キーと対応付けて、上記検査結果情報を記憶する記憶領域が、検査結果記憶部１２に設定される（ステップＳ１１３）。次に、キー送信部１０４によって、ステップＳ１１１で生成された認証キー情報が第１の端末装置２１へ送信され（ステップＳ１１５）、処理が終了される。
【００８２】
上述のように、ステップＳ１０７において、上記製造番号情報に対応する認証キーが既に生成されていると判定された場合には、上記製造番号情報が既に使用済である旨を示す情報が送信されて処理が終了されるため、ガイドチューブ４１の単回使用を担保することができる。なお、ステップＳ１０１は、「製品番号受信工程」に相当し、ステップＳ１１１は、「キー生成工程」に相当する。また、ステップＳ１１３は、「記憶領域設定工程」に相当し、ステップＳ１１５は、「キー送信工程」に相当する。
【００８３】
次に、図６を参照して、「検査結果記録処理」について説明する。「検査結果記録処理」とは、第２の端末装置２２から上記検査結果情報を受信して、図５のステップＳ１１３において検査結果記憶部１２に設定された記憶領域に、受信された上記検査結果情報を格納する処理である。なお、以下の説明では、上記検査結果情報が、図４に示す検査結果情報５である場合について説明する。
【００８４】
まず、検査結果受信部１０５によって、第２の端末装置２２から、上記認証キー情報、患者識別情報５１２、医者識別情報５１１、及び、検査詳細情報５２が受信されたか否かの判定が行われる（ステップＳ２０１）。ステップＳ２０１で受信されていないと判定された場合（ステップＳ２０１でＮＯ）には、処理が待機状態とされる。ステップＳ２０１で受信されたと判定された場合（ステップＳ２０１でＹＥＳ）には、検査結果記録部１０６によって、ステップＳ２０１で受信された上記認証キー情報に対応する記憶領域が検査結果記憶部１２に設定されているか否かの判定が行われる（ステップＳ２０３）。
【００８５】
記憶領域が検査結果記憶部１２に設定されていないと判定された場合（ステップＳ２０３でＮＯ）には、検査結果記録部１０６によって、第２の端末装置２２に対して、ステップＳ２０１で受信された上記認証キー情報が正しくない旨を示す情報が送信され（ステップＳ２０５）、処理が終了される。記憶領域が検査結果記憶部１２に設定されていると判定された場合（ステップＳ２０３でＹＥＳ）には、検査結果記録部１０６によって、ステップＳ２０１で受信された上記認証キー情報に対応する記憶領域に、患者識別情報５１２、及び、医者識別情報５１１に対応付けて、付帯情報５２０を含む検査詳細情報５２が格納される（ステップＳ２０７）。そして、検査結果記録部１０６によって、第２の端末装置２２に対して、送信された検査詳細情報５２が正常に検査結果記憶部１２の記憶領域に格納された旨を示す情報が送信され（ステップＳ２０９）、処理が終了される。
【００８６】
次に、図７を参照して、「検査情報提供処理」について説明する。「検査情報提供処理」とは、第３の端末装置２３から検査詳細情報５２の提供を求める旨を示す情報を受信した場合に、図６のステップＳ２０７において検査結果記憶部１２に格納された検査詳細情報５２を、第３の端末装置２３へ送信する処理である。
【００８７】
まず、提供要求受信部１０７によって、第３の端末装置２３から上記認証キー情報、上記患者識別情報、及び、上記検査結果情報の提供を求める旨を示す情報が受信されたか否かの判定が行われる（ステップＳ３０１）。上記認証キー情報、上記患者識別情報、及び、上記検査結果情報の提供を求める旨を示す情報が受信されていないと判定された場合（ステップＳ３０１でＮＯ）には、処理が待機状態とされる。上記認証キー情報、上記患者識別情報、及び、上記検査結果情報の提供を求める旨を示す情報が受信されたと判定された場合（ステップＳ３０１でＹＥＳ）には、第１判定部１０８によって、ステップＳ３０１で受信された上記認証キー情報に対応する記憶領域が検査結果記憶部１２に設定されているか否かの判定が行われる（ステップＳ３０３）。
【００８８】
記憶領域が検査結果記憶部１２に設定されていないと判定された場合（ステップＳ３０３でＮＯ）には、第１判定部１０８によって、ステップＳ３０１で受信された上記認証キー情報が正しくない旨を示す情報が第３の端末装置２３に対して送信され（ステップＳ３０５）、処理が終了される。記憶領域が検査結果記憶部１２に設定されていると判定された場合（ステップＳ３０３でＹＥＳ）には、第１判定部１０８によって、ステップＳ３０１で受信された上記患者識別情報が、ステップＳ３０１で受信された上記認証キー情報に対応する患者識別情報５１２と一致するか否かの判定が行われる（ステップＳ３０７）。
【００８９】
ステップＳ３０７において患者識別情報５１２と一致しないと判定された場合（ステップＳ３０７でＮＯ）には、第１判定部１０８によって、受信された上記患者識別情報が正しくない旨を示す情報が第３の端末装置２３に対して送信され（ステップＳ３０９）、処理が終了される。ステップＳ３０７において患者識別情報５１２と一致すると判定された場合（ステップＳ３０７でＹＥＳ）には、第２判定部１０９によって、ステップＳ３０１で上記医者識別情報が受信されたか否かの判定が行われる（ステップＳ３１１）。上記医者識別情報が受信されていないと判定された場合（ステップＳ３１１でＮＯ）には、ステップＳ３１７へ進められる。上記医者識別情報が受信されたと判定された場合（ステップＳ３１１でＹＥＳ）には、第２判定部１０９によって、検査詳細情報５２に対応付けられた医者識別情報５１１が、ステップＳ３０１で受信された上記医者識別情報と一致するか否かの判定が行われる（ステップＳ３１３）。なお、検査詳細情報５２は、ステップＳ３０１で受信された上記認証キー情報に対応する記憶領域に格納された検査詳細情報５２である。
【００９０】
ステップＳ３０１で受信された上記医者識別情報と一致しないと判定された場合（ステップＳ３１３でＮＯ）、又は、ステップＳ３１１でＮＯの場合には、情報提供部１１０によって、検査詳細情報５２に含まれる付帯情報５２０が消去されて第３の端末装置２３へ送信され（ステップＳ３１７）、処理が終了される。ステップＳ３０１で受信された上記医者識別情報と一致すると判定された場合（ステップＳ３１３でＹＥＳ）には、付帯情報５２０を含んだ検査詳細情報５２が第３の端末装置２３へ送信され（ステップＳ３１５）、処理が終了される。
【００９１】
上述のように、検査結果情報５に対応付けられた医者識別情報５１１が、受信された上記医者識別情報と一致しない場合には、上記検査結果情報に含まれる付帯情報５２０が消去されて第３の端末装置２３へ送信されるため、検査結果情報５に含まれる付帯情報５２０の漏洩を防止することができる。なお、検査結果情報５は、受信された上記認証キー情報に対応する記憶領域に格納された検査結果情報５である。
【００９２】
具体的には、例えば、上記検査結果情報の検査を指示した医者は、自分の医者識別情報を医療情報管理サーバ装置１へ送信することによって、検査詳細情報５２に含まれる付帯情報５２０を知ることができる。付帯情報５２０には、医療機関名情報５２１、連絡先情報５２２、及び、検査者情報５２３が含まれるため、検査項目情報５３に関して質問がある場合に、検査者に対して問い合わせることができる。
【００９３】
一方、例えば、患者自身（又は、薬局、他の医師等）は、医者識別情報５１１を知らないため、検査詳細情報５２に含まれる付帯情報５２０を知ることができない。したがって、付帯情報５２０に含まれる医療機関名情報５２１、連絡先情報５２２、及び、検査者情報５２３の漏洩を防止することができる。
【００９４】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の構成から実質的に逸脱しない範囲で種々の変更が可能である。
【００９５】
（１）本実施形態では、便宜上、検査結果情報５が１つである場合について説明したが、複数個の上記検査結果情報が検査結果記憶部１２に格納されている形態でもよい。この場合には、上記検査結果情報毎に、第２判定部１０９による判定が行われる。
【００９６】
（２）本実施形態では、検査結果情報５が血液検査結果情報である場合について説明したが、医療に用いる検査結果情報であればよい。例えば、身長、体重等の身体検査結果情報でもよいし、尿検査結果情報、ＣＴ（Ｃｏｍｐｕｔｅｄ  Ｔｏｍｏｇｒａｐｈｙ）検査結果情報、又は、ＭＲＩ（Ｍａｇｎｅｔｉｃ  Ｒｅｓｏｎａｎｃｅ  Ｉｍａｇｉｎｇ）検査結果情報でもよい。
【００９７】
（３）本実施形態では、ネットワーク３がインターネットである場合について説明したが、ネットワーク３がその他の形態のネットワークでもよい。例えば、ネットワーク３がＬＡＮ（Ｌｏｃａｌ  Ａｒｅａ  Ｎｅｔｗｏｒｋ）である形態でもよいし、ＷＡＮ（Ｗｉｄｅ  Ａｒｅａ  Ｎｅｔｗｏｒｋ）である形態でもよい。
【００９８】
（４）本実施形態では、製品番号受信部１０１によって上記製造番号情報が受信されたときに、キー生成部１０２が上記製造番号情報に基づいて認証キー情報を生成する場合について説明したが、その他の事象をトリガーとして、キー生成部１０２が上記製造番号情報に基づいて認証キー情報を生成する形態でもよい。例えば、医療関係者が、医療情報管理サーバ装置１を管理する者との間で医療情報管理サーバ装置１を使用する契約が成立したときに、キー生成部１０２が上記製造番号情報に基づいて認証キー情報を生成する形態でもよい。また、例えば、医者が、医療情報管理サーバ装置１に対して検査結果情報を送信したときに、キー生成部１０２が上記製造番号情報に基づいて認証キー情報を生成する形態でもよい。
【産業上の利用可能性】
【００９９】
本発明は、医療に用いる検査結果情報を管理する医療情報管理サーバ装置及び医療情報管理方法に利用可能である。
【符号の説明】
【０１００】
１００    医療情報管理システム
１    医療情報管理サーバ装置
１０１    製品番号受信部
１０２    キー生成部
１０３    記憶領域設定部
１０４    キー送信部
１０５    検査結果受信部
１０６    検査結果記録部
１０７    提供要求受信部
１０８    第１判定部
１０９    第２判定部
１１０    情報提供部
１２    検査結果記憶部
２    端末装置
３    ネットワーク
４    製品（医療用製品）
４１    ガイドチューブ
４２    包装体
４３    バーコード
５    検査結果情報
５１    必須情報
５１１    医者識別情報
５１２    患者識別情報
５２    検査詳細情報
５２０    付帯情報
５２１    医療機関名情報
５２２    連絡先情報
５２３    検査者情報
５３    検査項目情報
【図１】
2016067862.tif 000003
【図２】
2016067862.tif 000004
【図３】
2016067862.tif 000005
【図４】
2016067862.tif 000006
【図５】
2016067862.tif 000007
【図６】
2016067862.tif 000008
【図７】
2016067862.tif 000009
【国際調査報告】
2016067862.tif 000010
2016067862.tif 000011
2016067862.tif 000012
2016067862.tif 000013